(57)【要約】【課題】  本発明は、一対の上側フイルム１９と下側フイルム２０の各々の縁が溶着された包装袋８を封止する袋封止用クリップで、一対の上側フイルム１９と下側フイルム２０が互いに離れることによってできる開口部を封止する袋封止用クリップを提供する。【解決手段】  開口部のできた包装袋８を挟持部４ａ，挟持部４ｂで挟むことによって、包装袋８の開口部を封止する袋封止用クリップであって、挟み部３ａ，挟み部３ｂの先端部に一対の挟持部４ａ，挟持部４ｂを設けたことを特徴とした袋封止用クリップ。クリップ１にフック５を設けたことを特徴とする袋封止用クリップ。クリップ１にマグネット６を設けたことを特徴とする袋封止用クリップ。【選択図】図７
2018058638.tif 000002
【特許請求の範囲】
【請求項１】
クリップ１に挟持部４ａ，挟持部４ｂを設け、挟持部４ａと挟持部４ｂで包装袋８を挟むことによって、開口部を封止することを特徴とした袋封止用クリップ。
【請求項２】
クリップ１にフック５を設けたことを特徴とする請求項１の袋封止用クリップ。
【請求項３】
クリップ１にマグネット６を設けたことを特徴とする請求項１の袋封止用クリップ。
【発明の詳細な説明】
【技術分野】
【０００１】  本発明は、一対の上側フイルムと下側フイルムの各々の縁が溶着された包装袋を封止する袋封止用クリップで、一対の上側フイルムと下側フイルムが互いに離れることによってできる開口部を封止する袋封止用クリップに関するものである。
【背景技術】
【０００２】  従来、袋封止用クリップには、袋の開口部一辺を封止するためのものがある（例えば、特許文献１、特許文献２参照。）。
また、包装袋の開口部を複数辺封止するためのものもある（例えば、特許文献３、非特許文献１参照。）。
【先行技術文献】
【特許文献】
【０００３】
【特許文献１】  特開２００３−０７２７７８号公報
【特許文献２】  特開２００４−０３５０２６号公報
【特許文献３】  特開２０１２−１４８７８６号公報
【非特許文献】
【０００４】
【非特許文献１】「クリタック  ホームページ  家庭用品  ハムクリップ」クリタック株式会社、アドレスｈｔｔｐ：／／ｗｗｗ．ｋｕｒｉｔａｃ．ｃｏ．ｊｐ／ｃｐ＿ｈａｍ．ｈｔｍｌ
【発明の概要】
【発明が解決しようとする課題】
【０００５】  特許文献１や特許文献２のように、袋の開口部一辺を封止するための袋封止用クリップが知られている。
しかしながら、該袋封止用クリップは一辺だけを封止するため、複数辺開封された袋にはすべて封止することができず、隙間ができ空気が出入りし、内容物の中身が乾燥してしまうという欠点があった。【０００６】  特許文献３のように、開口部を複数辺封止するための袋封止用クリップが知られている。
しかしながら、該袋封止用クリップは、決められた方向にしか封止できない。
また、内容物を取り出すために一対のフイルムの三辺が剥がされた柔らかい包装袋を決まった向きに挿入して挟持枠にずれないように封止しなければならない。
これは手先が器用でないと上手くできないし時間がかかる。【０００７】  非特許文献１の袋封止用クリップは、開口部を複数辺封止するための袋封止用クリップが知られている。
お互いに可動な挟持枠が三辺で構成され、包装袋をそれぞれ三辺の挟持枠で封止する。
一対のフイルムが剥がされた薄いフイルムを合わせて、ずれないように包装袋を一辺ごとに三辺の挟持枠で封止しなければならない。
このため、封止途中に他の挟持枠が可動し包装袋の一部が挟持枠からずれてしまうこともあり、労力と時間がかかり、小さい子どもからお年寄りまで、誰でも簡単にできる袋封止用クリップではなかった。
本発明は、これらの問題点を解決するためになされたものである。
【課題を解決するための手段】
【０００８】  請求項１の発明は、開口部のできた包装袋８を挟持部４ａと挟持部４ｂで挟むことによって、包装袋８の開口部を封止する袋封止用クリップであって、挟み部３ａ，挟み部３ｂの先端部に一対の挟持部４ａ，挟持部４ｂを設けたことを特徴とした袋封止用クリップである。【０００９】  請求項２の発明は、クリップ１にフック５を設けたことを特徴とする請求項１の袋封止用クリップである。【００１０】  請求項３の発明は、クリップ１にマグネット６を設けたことを特徴とする請求項１の袋封止用クリッである。
以上を特徴とする袋封止用クリップである。
【発明の効果】
【００１１】  本発明の請求項１によれば、クリップ１の挟み部３ａ，挟み部３ｂの先端部に設けた一対の挟持部４ａ，挟持部４ｂによって、開封したままの内容物７の入った包装袋８の内容物７の周りを囲み挟んで封止するため、空気の出入りができなくなり乾燥しない状態で保存ができるようにした。【００１２】  周りを囲むため、図７に示すように、袋包装８のどの位置からでも挟むことができ、上側フイルム１９と下側フイルム２０が完全に離れてしまっても封止できる。
また、クリップ式のため、取り扱い説明を聞かなくても、力もいらず誰でもが簡単に使用できることが可能となった。【００１３】  袋封止用クリップの挟持部４ａ，挟持部４ｂを利用して、図１２に示すように、マグネットフック１７のフック１８に吊るして収納ができる。【００１４】  本発明の請求項２によれば、クリップ１の挟み部３ａに設けたフック５によって、図１４に示すように冷蔵庫の中では、冷蔵庫扉内側ポケット１３、冷蔵庫扉内側ポケット１４に掛けられ、場所を取らずに整理整頓でき、ほしい時にすぐ取り出せる。
また、残っている内容物７があることを一目で知ることができる。【００１５】  本発明の請求項３によれば、使わないときは、クリップ１の開閉操作部２ｂに設けたマグネット６によって、図１３に示すように冷蔵庫外側磁性体の壁面１２に吸着させておく。
フックなどがなくても収納できる。
よく、目につき、冷蔵庫の中には、使い残しの内容物７がないことを知ることができる。
【図面の簡単な説明】
【００１６】
【図１】本発明の袋封止用クリップの斜視図である。
【図２】本発明の袋封止用クリップの側面図である。
【図３】本発明の袋封止用クリップの挟持部の開いた側面図である。
【図４】本発明の袋封止用クリップの平面図である。
【図５】本発明の袋封止用クリップの底面図である。
【図６】本発明の袋封止用クリップの使用方法の説明図である。
【図７】本発明の袋封止用クリップの使用方法の説明図である。
【図８】本発明の袋封止用クリップの挟持部の平面の形状の説明図である。
【図９】本発明の袋封止用クリップの挟持部の側面の形状の説明図である。
【図１０】本発明の袋封止用クリップの挟持部をクリップから一部出した例の説明図である。
【図１１】本発明の袋封止用クリップの挟持部が四角形の形状の説明図である。
【図１２】本発明の袋封止用クリップの収納方法の説明図である。
【図１３】本発明の袋封止用クリップの収納方法の説明の断面図である。
【図１４】本発明の袋封止用クリップの使用方法の説明図である。
【図１５】本発明の袋封止用クリップの使用方法の説明図である。
【図１６】図１５の包装袋を２枚封止した断面図である。
【図１７】本発明の袋封止用クリップの挟持部の片方が平面板の形状の説明図である。
【発明を実施するための形態】
【００１７】  以下、本発明の実施の形態について説明する。
【００１８】  本発明の袋封止用クリップの具体的な構成について、図１、図２、図３に基づいて説明する。クリップ１の挟み部３ａ，挟み部３ｂの先端部に、それぞれ円形状の挟持部４ａ，挟持部４ｂを設ける。クリップ１の挟み部３ａに挟持部４ａが、挟み部３ｂに挟持部４ｂが連結されている。クリップ１の開閉に連動して、挟持部４ａ，挟持部４ｂが開閉する。クリップ１を閉じると、図１、図２のように挟持部４ａと挟持部４ｂは閉じて重合する。クリップ１を開くと、図３のように挟持部４ａと挟持部４ｂは離れて開く。
【００１９】  挟持部と包装袋の関わりについて説明する。図３、図７に示すように、クリップ１を開いた時、挟持部４ａ，挟持部４ｂはクリップ１に連動して、お互いに離れ、口を開いた状態になる。開いた状態の挟持部４ａと挟持部４ｂを包装袋８の方に持って行き、挟むように入れる。この時、包装袋８のどの方向から挟みに行ってもよい。それは、図６が示すように、挟持部４ａ，挟持部４ｂは、内容物７の周りを囲む形状のため、包装袋８がどのように開口していても包装袋８をしっかり固定し、完全に封止することができる。
【００２０】  挟持部をクリップに設ける別の方法について説明をする。図１０に示すのは、挟持部は基本的に挟み部の先端に設けてあり、円形状の挟持部をクリップの挟み部の先端で挟むように設けられている。そのため、挟持部が挟み部の両サイドから出ている。しかし、ここでは、クリップの先端部の前の部分から一部直線で出てから、円を描くように環状を形成する。その結果、内容物とクリップの間隔が長くなり、包装袋８が大きくても、挟持部が内容物７を挟む位置に届くようになる。
【００２１】  挟持部の材質と太さ、色について説明する。クリップ１のバネ部材１１の弾力によって、挟持部４ａ，挟持部４ｂが閉じて、挟持部４ａと挟持部４ｂを強く重合させるため、挟持部４ａ，挟持部４ｂは、弾力性のある材質でも弾力性のない材質でもよく、金属、合成樹脂、木、金属に合成樹脂やシリコンやゴムなどを被せたものなど、硬質体のもので、形成できるものであれば何でもよい。材質によって、挟持部４ａ，挟持部４ｂの太さが変えられる。挟持部４ａ，挟持部４ｂの色は、何色にでもできる。
【００２２】  クリップと挟持部の材質についての関係を説明する。図１に示すのは、クリップ１の材質と挟持部４ａ，挟持部４ｂの材質は、異なったものであるが、クリップ１と挟持部４ａ，挟持部４ｂを同じ材質で一体化してもよい。
材質としては、合成樹脂、金属、木、金属に合成樹脂やシリコンやゴムなどを被せたものでもよい。硬質体のもので、形成できるものであれば何でもよい。
色は、何色でもよい。つやがあってもなくてもよい。
【００２３】  挟持部の挟む強度を上げるための方法を説明する。図１に示すのは、円形状の挟持部４ａ，挟持部４ｂをクリップ１の挟み部３ａ，挟み部３ｂに設けるが、挟むときの強度を上げるために、図８が示すように、挟持部を円形状にしないで、円形状を切断し、両端の一部を直線状にした埋設部を設ける。この埋設部をクリップ１の挟み部に埋め込む。このことによって強度が上がる。埋め込むために、挟持部を挟み部の形状に合わせて角度をつける。クリップ１を閉じた時、挟持部４ａと挟持部４ｂは重合する。また、挟持部が繋がっていない部分は、クリップを閉じた時、向かい合った挟み部３ａと挟み部３ｂが合わさり、押し合うので、挟む強度が上がる。
また、挟持部の端の埋設部を埋設せずに、挟み部の外側に固着してもよい。
【００２４】  挟持部の形状と表面について説明する。挟持部４ａ，挟持部４ｂの形状は、基本的に円形状であるが、図１１に示すように四角形状にしてもよい。また、楕円状、ひし形状などにしてもよく、どのような形状にしても、包装袋８の開封された部分を封止することができればよい。また、挟持部４ａ，挟持部４ｂを滑りにくくするため、表面をざらざらにしてもよい。
【００２５】  挟持部のどちらか片方を平面板にする例の説明をする。図１７に示すのは、図１が示す挟持部４ｂを挟持部４ａより少し大きい目の平面板２２にする。平面板２２の上に包装袋８を載せて、上から環状の挟持部４ａを下して平面板２２と挟持部４ａとで挟む。
材質は、合成樹脂、金属、木、など軽くて、硬質性のあるものが良い。形状は、四角形状であるが、角丸四角形状、円形状など変えることもできる。
平面板２２には、裏表に、自由な色で、絵やデザインや文字などを書くことができる。
また、表面を滑りにくくするため、表面をざらざらにしたり、滑り止めの薄いシールなどを貼る。
【００２６】  クリップに設けたフックについて説明する。クリップ１の挟み部３ａにＬ字形に突設したフック５を設ける。フック５を冷蔵庫扉内側ポケット１３、冷蔵庫扉内側ポケット１４に掛ける。フック５を設ける場所は、挟み部３ａに限らず、挟み部３ｂ、開閉操作部４ａ、開閉操作部４ｂのどれかに設けることができる。
【００２７】  フックの形状と設け方を説明する。図２に示すのは、フック５の形状は、Ｌ字形状のものである。冷蔵庫扉内側ポケット１３、冷蔵庫扉内側ポケット１４に掛けられる形状であれば、どのような形状でもよい。
フック５は、クリップ１と一体成型してある。クリップ１にフック５を貼着してもよい。このときは、フック５の材質、色などがクリップ１と異なってもよい。
【００２８】  鉤を使ったフックについて説明する。フック５は、図１で示すものでなくてもよい。クリップ１の一端に穴をあけ、そこに紐を通し結びつけ、該紐の他方の一端は、先端に金属や合成樹脂などで形成した鉤を設ける。
また、直接、クリップ１の一端に穴をあけ、そこに金属や合成樹脂で形成した鉤を設ける。その鉤を冷蔵庫扉内側ポケット１３、冷蔵庫扉内側ポケット１４に掛ける。
これらのフックを設けることによって、冷蔵庫扉の内側ポケットだけでなく、冷蔵庫の外にも自由に掛けることができ、収納に利用できる。
【００２９】  クリップに設けたマグネットについて説明する。クリップ１の開閉操作部２ｂにマグネット６を設ける。マグネット６はクリップ１の開閉操作部２ｂを穿設し、マグネット６が挿着されている。
これによって、マグネット６はクリップ１の中に入り、一体化され、袋封止クリップを開閉するときに、手の指に当たって、違和感を感じたり、邪魔になることがない。
また、マグネット６をクリップ１に固着してもよい。
冷蔵庫の外側の周りは、磁性体の壁面になっているため、マグネット６を設けた袋封止クリップは、どの場所でも自由に吸着させて収納できる。また、冷蔵庫以外にも磁性体の面があれば利用できる。
クリップ１の開閉操作部１ａ、開閉操作部２ｂは、指が滑りにくくするため、表面を滑り止めのため、ざらざらにする。また、ゴムやシリコンなどの滑り止めを付ける。
【００３０】  クリップのバネ部の材質について説明する。クリップ１のバネ部材１１は、板ばね、リング、スプリングなど、また、材質は金属、プラスチックなど、弾力性のあるものであれば、どんなものでも構わない。
本発明は以上のような構成である。
【００３１】  本発明の使い方を説明する。
図６に示すのは、本袋封止用クリップの使用方法の説明図である。
ここでは、円形の挟持部４ａ，挟持部４ｂが上側フイルム１９の円形である内容物７収納部分の周りを囲み、袋包装８を挟んでいる。
包装袋８の開封された部分を封止し、空気の出入りができなくなり、内容物７を乾燥しない状態を形成している。
挟持部４ａ，挟持部４ｂの形が各々円形で内容物７の周りを囲むため、袋包装８の開封された位置にかかわらず、四辺のどの位置から挟んでも開口部を封止することができる。
また、クリップ式のため、説明を聞かなくても、見ただけで、誰でもが簡単に素早く使用することが可能になった。
【００３２】  図７に示すのは、包装袋８を挟むため、クリップ１の開閉操作部２ａ，開閉操作部２ｂを上下から押すと、挟持部４ａ，挟持部４ｂが離れて、開いた袋封止用クリップを、包装袋８の方に持って行き、内容物７を囲む位置に来たら、押している手を緩めると、挟持部４ａと挟持部４ｂとが閉じて重合し包装袋８を挟み、開口部を封止する。
【００３３】  図８に示すのは挟持部４ａを正面から見た形状である。
クリップ１に接する部分は、クリップ１に埋設する。
挟持部４ａと対になっている挟持部４ｂも、クリップ１に接する部分は、クリップ１に埋設する。これによって、挟持部４ａと挟持部４ｂとが挟む強度が上がり、封止力が上がり、開口部の密封性が向上する。
挟持部４ａと挟持部４ｂとはクリップ１からはみ出た部分はともに円形状であり、重合する。
【００３４】  図９が示すのは、挟持部４ａ，挟持部４ｂを側面から見た形状である。
挟持部４ａの埋設部９ａは、クリップ１の挟み部３ａの形状に、挟持部４ｂの埋設部９ｂは、クリップ１の挟み部３ｂの形状に添って埋設している。これによって、クリップから挟持部４ａ，挟持部４ｂに伝わる強度が増し、封止力が上がる。
【００３５】  図１０に示すのは、挟持部４ａの一部がクリップ１から少し出た形状。これによって、袋包装８をクリップ側に挿入するスペースが拡大する。
挟持部４ｂも挟持部４ａに重合する。
【００３６】  図１１に示すのは、形状を四角形にした挟持部２１ａ，挟持部２１ｂである。
袋包装８の四辺の隅を封止し、円形や四角形の内容物７の入った包装袋８を封止することができる。これによって、円形状の内容物７だけでなく、円形状以外の形のものも封止することができる。
【００３７】  図１２に示すのは、袋封止用クリップを使用しない時、冷蔵庫の外にあるマグネットフック１７のフック１８に挟持部４ａ，挟持部４ｂを掛けて収納する。
袋封止用クリップを冷蔵庫の外に出していることによって、冷蔵庫の中には，使い残しの内容物７がないことを知る。
【００３８】  図１３に示すのは、袋封止用クリップを使用しない時、クリップ１に設けたマグネット６を冷蔵庫外側磁性体の壁面１２に吸着させて保持させる。袋封止用クリップそのものを直接冷蔵庫外側磁性体の壁面１２に吸着させるため、フックなど袋封止用クリップを収納する用具などを準備する必要がない。
【００３９】  図１４に示すのは、クリップ１に設けたフック５を冷蔵庫扉内側ポケット１３に掛ける。
フック５の位置がクリップ１の挟み部３ａに設けてあり、袋封止用クリップが上の方に上がり、下にある冷蔵庫扉内側ポケット１４に入っているものを取り出す時に、邪魔にならない。
こうして保持することによって、場所を取らずに整理整頓でき、ほしい時にすぐ取り出せる。
また、一見して残っている内容物７があることを知ることができる。
袋封止用クリップは小さいので冷蔵庫の中に紛れて紛失してしまうこともない。
【００４０】  図１５に示すのは、挟持部４ａと挟持部４ｂによって、上にある包装袋８の下側フイルム２０と下に逆さまになっている包装袋８の下側フイルム２０を合わせて挟む。これによって、包装袋８を２枚、内容物８を傷めることなく保存できる。
【００４１】  図１６に示すのは、図１５に示す包装袋８を２枚、挟持部４ａと挟持部４ｂで挟んだ断面図である。
１枚は開封した包装袋８、１枚は開封していない包装袋８を同時に挟むことができ、開封したものだけでなく、予備の包装袋８も同時に挟んでおくことができる。
【００４２】  なお、上記実施の形態では、クリップ１と挟持部４ａ，挟持部４ｂを別材質で形成してあるが、金属のみ、合成樹脂等のみなど、クリップ１と挟持部４ａ，挟持部４ｂを同じ材質で、一体化することもできる。
また、上記実施の形態では、挟持部４ａ，挟持部４ｂが円形状であるが、図１１に示すように四角形状の挟持部２１ａ，挟持部２１ｂにすることもできる。
【００４３】  図１７に示すのは、挟持部の内、どちらか片方を平面板にする。平面板にすることによって、そこに絵をかいたり、デザインしたり、文字を書いたり出来るので、遊び心が芽生える。また、宣伝広告を載せることもできる。
本発明は以上のような構成である。
【符号の説明】
【００４４】  １  クリップ
２ａ，２ｂ  開閉操作部
３ａ，３ｂ  挟み部
４ａ，４ｂ  挟持部
５  フック
６  マグネット
７  内容物
８  包装袋
９ａ，９ｂ  埋設部
１０ａ，１０ｂ  手の指
１１  バネ部材
１２  冷蔵庫外側磁性体の壁面
１３  冷蔵庫扉内側ポケット
１４  冷蔵庫扉内側ポケット
１５  冷蔵庫扉内側
１６  軸部
１７  マグネットフック
１８  フック
１９  上側フイルム
２０  下側フイルム
２１ａ，２１ｂ  挟持部
２２  平面板
【図１】
2018058638.tif 000003
【図２】
2018058638.tif 000004
【図３】
2018058638.tif 000005
【図４】
2018058638.tif 000006
【図５】
2018058638.tif 000007
【図６】
2018058638.tif 000008
【図７】
2018058638.tif 000009
【図８】
2018058638.tif 000010
【図９】
2018058638.tif 000011
【図１０】
2018058638.tif 000012
【図１１】
2018058638.tif 000013
【図１２】
2018058638.tif 000014
【図１３】
2018058638.tif 000015
【図１４】
2018058638.tif 000016
【図１５】
2018058638.tif 000017
【図１６】
2018058638.tif 000018
【図１７】
2018058638.tif 000019
【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
スライス状の内容物がパックされた袋を再封止するクリップであって、前記内容物の周縁を押さえる一対の挟持部と、これらの挟持部をそれぞれ支持する一対のクリップとを備え、前記一対のクリップが軸部を介して開閉可能に結合されて前記一対の挟持部を開閉させる袋封止用クリップ。
【請求項２】
前記クリップには、開閉操作部と挟み部とを有し、前記軸部はこれら開閉操作部と挟み部との境界に配置されている請求項１に記載の袋封止用クリップ。
【請求項３】
前記クリップには、吊り下げ用のフック又は吸着保持用のマグネットの少なくとも一方を設けたことを特徴とする請求項１又は２に記載の袋封止用クリップ。
【手続補正２】
【補正対象書類名】明細書
【補正対象項目名】０００８
【補正方法】変更
【補正の内容】
【０００８】
請求項１の発明は、スライス状の内容物がパックされた袋を再封止するクリップであって、前記内容物の周縁を押さえる一対の挟持部と、これらの挟持部をそれぞれ支持する一対のクリップとを備え、前記一対のクリップが軸部を介して開閉可能に結合されて前記一対の挟持部を開閉させる袋封止用クリップである。
【手続補正３】
【補正対象書類名】明細書
【補正対象項目名】０００９
【補正方法】変更
【補正の内容】
【０００９】
請求項２の発明は、前記クリップには、開閉操作部と挟み部とを有し、前記軸部はこれら開閉操作部と挟み部との境界に配置されている袋封止用クリップである。
【手続補正４】
【補正対象書類名】明細書
【補正対象項目名】００１０
【補正方法】変更
【補正の内容】
【００１０】
請求項３の発明は、前記クリップには、吊り下げ用のフック又は吸着保持用のマグネットの少なくとも一方を設けたことを特徴とする袋封止クリップである。
【手続補正５】
【補正対象書類名】明細書
【補正対象項目名】００１４
【補正方法】変更
【補正の内容】
【００１４】
本発明の請求項３によれば、クリップ１の挟み部３ａに設けたフック５によって、図１４に示すように冷蔵庫の中では、冷蔵庫扉内側ポケット１３、冷蔵庫扉内側ポケット１４に掛けられ、場所を取らずに整理整頓でき、ほしい時にすぐ取り出せる。また、残っている内容物７があることを一目で知ることができる。